(57)【要約】【課題】  種々の回転手段をプッシュ式の操作スイッチにコンパクトに組み込むことによって、遊技者の五感を直接刺激して遊技者参加型の演出機能を一層高めることのできる遊技機用操作スイッチとそれを備えた遊技機を提供する。【解決手段】  フォトセンサ３３ａによる移動突起１３ａの検知により、電動モータ５１が駆動回転し、回転羽根４１と発光基板４２とは同期回転する。これによって、回転羽根４１の回転に基づく送風がカバー体１２の送風口１２ｂから吹き出す。それと同時に、回転羽根４１の連続回転と発光素子４２ａの点滅とに基づく残像効果によって、演出表示のための図柄が残像表示される。【選択図】  図１０
2011024778.tif 000002
【特許請求の範囲】
【請求項１】
遊技機に固定配置された固定ケースと、押圧操作に基づき前記固定ケース内にて押圧方向に移動可能な移動ケースと、それら両ケース間に介装されて前記移動ケースを前記押圧方向とは逆方向へ付勢する弾発部材とを備え、人為的な押圧移動操作が可能とされたプッシュ式の遊技機用操作スイッチであって、
前記移動ケースの内部に収容されるとともに、前記押圧方向に沿って配置される回転軸線周りで回転運動する際に、自身が遊技者の五感のうちの少なくともいずれか１つを刺激する人体刺激物質の発生源となってその人体刺激物質を前記移動ケースの外部へ放出可能な回転手段と、
前記回転手段を前記回転軸線周りで回転させるための駆動源とを備えることを特徴とする遊技機用操作スイッチ。
【請求項２】
遊技機に固定配置された固定ケースと、押圧操作に基づき前記固定ケース内にて押圧方向に移動可能な移動ケースと、それら両ケース間に介装されて前記移動ケースを前記押圧方向とは逆方向へ付勢する弾発部材とを備え、人為的な押圧移動操作が可能とされたプッシュ式の遊技機用操作スイッチであって、
前記移動ケースの内部に収容されるとともに、前記押圧方向に沿って配置される回転軸線周りで回転運動する際に、自身が光の発生源となってその光を前記移動ケースの外部へ放出可能な回転手段と、
前記固定ケースに固定保持され、前記移動ケースの移動を検知するための移動検出手段を実装する第一配線基板と、
前記移動ケースに内蔵され、前記回転手段が放出する光を発するための光源を実装する第二配線基板とを備え、
前記第一配線基板は前記弾発部材から見て前記押圧方向の上手側に位置し、前記第二配線基板は同じく下手側に位置するように、前記回転軸線方向に沿って振り分け状に配置されていることを特徴とする遊技機用操作スイッチ。
【請求項３】
前記回転手段と第二配線基板とを前記回転軸線周りで同期回転させるための単一の駆動源を備え、
前記回転手段は、前記駆動源からの駆動力により前記回転軸線周りで回転運動する際、自身の連続回転と前記第二配線基板に実装された光源の点滅とに基づく残像効果によって、演出表示のための数字・文字・図形・記号・模様等からなる図柄の残像表示が可能である請求項２に記載の遊技機用操作スイッチ。
【請求項４】
前記光源は、前記回転軸線から半径方向外側へ向かって、所定間隔にて複数配置されている請求項３に記載の遊技機用操作スイッチ。
【請求項５】
前記回転手段は、自身が風の発生源となってその風を前記移動ケースの外部へ放出可能な１又は複数の回転羽根を有し、前記回転軸線周りで回転運動する際、前記図柄の残像表示と前記回転羽根の回転に基づく送風とが同時に可能である請求項３又は４に記載の遊技機用操作スイッチ。
【請求項６】
前記第二配線基板の光源は、前記回転手段の回転羽根に対して前記押圧方向の上手側であって、前記軸線方向から見て前記回転羽根の外形線で囲まれた領域内に配置されるとともに、
前記回転羽根は透光性材料にて構成されている請求項５に記載の遊技機用操作スイッチ。
【請求項７】
前記回転手段の回転羽根と第二配線基板の光源とは前記回転軸線方向に所定距離離間して配置され、前記駆動源により各々直結駆動される請求項６に記載の遊技機用操作スイッチ。
【請求項８】
前記第二配線基板及び光源は前記回転手段の回転羽根と一体化され、前記第二配線基板が一体化された回転羽根は前記駆動源により直結駆動される請求項６に記載の遊技機用操作スイッチ。
【請求項９】
前記第二配線基板の光源は、前記回転手段の回転羽根に対して前記押圧方向の上手側であって、前記回転軸線方向から見て前記回転羽根の外形線で囲まれた領域外に配置されている請求項５に記載の遊技機用操作スイッチ。
【請求項１０】
遊技機に固定配置された固定ケースと、押圧操作に基づき前記固定ケース内にて押圧方向に移動可能な移動ケースと、それら両ケース間に介装されて前記移動ケースを前記押圧方向とは逆方向へ付勢する弾発部材とを備え、人為的な押圧移動操作が可能とされたプッシュ式の遊技機用操作スイッチであって、
前記移動ケースの内部に収容されるとともに、前記押圧方向に沿って配置される回転軸線周りで回転運動する際に、自身が風の発生源となってその風を前記移動ケースの外部へ放出可能な１又は複数の回転羽根を有する回転手段と、
前記固定ケースに固定保持され、前記移動ケースの移動を検知するための移動検出手段を実装する第一配線基板と、
前記移動ケースに固定保持され、前記移動ケースの外部へ放出する光を発するための光源を実装する第二配線基板とを備え、
前記第一配線基板は前記弾発部材から見て前記押圧方向の上手側に位置し、前記第二配線基板は同じく下手側に位置するように、前記回転軸線方向に沿って振り分け状に配置されていることを特徴とする遊技機用操作スイッチ。
【請求項１１】
前記回転手段を前記回転軸線周りで回転させるための駆動源を備え、
前記回転手段は、前記駆動源からの駆動力により前記回転軸線周りで回転運動する際、前記回転羽根の回転に基づく送風と前記第二配線基板に実装された光源から発する光に基づく照明とが同時に可能である請求項１０に記載の遊技機用操作スイッチ。
【請求項１２】
前記移動ケースには、前記回転手段及び第二配線基板を内蔵した状態にてその移動ケースを前記押圧方向の下手側から覆うことにより、当該移動ケースとの一体的な移動を可能としたカバー体が設けられ、
前記カバー体は、全体が透光性材料にて構成されている請求項２ないし１１のいずれか１項に記載の遊技機用操作スイッチ。
【請求項１３】
前記固定ケース又はそれに一体固定された部材には、前記移動ケースの前記回転軸線方向への移動に伴って、前記第一配線基板と第二配線基板とを接続する配線に発生する撓みを収容するための配線収容部が形成されている請求項２ないし１２のいずれか１項に記載の遊技機用操作スイッチ。
【請求項１４】
請求項１ないし１３のいずれか１項に記載の遊技機用操作スイッチが、前記回転手段の前記回転軸線周りでの回転可能、かつ人為的な押圧操作により前記移動ケースの前記回転軸線方向への移動可能な形態にて、装着されることを特徴とする遊技機。
【発明の詳細な説明】
【技術分野】
【０００１】
本発明は、遊技機用操作スイッチとその操作スイッチを備えた遊技機に関する。
【背景技術】
【０００２】
従来から、パチンコ機、アレパチ機等の弾球遊技機やスロットマシン、パチスロ機等の回胴式遊技機を含む種々の遊技機では、遊技領域に設ける液晶表示部（可変表示手段）や機枠（台枠）に設けるランプ、ＬＥＤ等の発光部（発光手段）を用いた表示演出、あるいは機枠（台枠）に設けるスピーカー（音声・音響出力手段）を用いた効果音・合成音声等の音演出によって、遊技者の興趣を高め遊技が単調になるのを防ぐ工夫がなされている。さらに近年では、遊技機側（すなわち遊技店側）から遊技者側に一方的に提供されるこれらの演出機能に加え、例えば遊技者の操作に基づき演出表示パターンを選択したり変更したりすることによって遊技環境に変化をもたらすことができるように、遊技者参加型の演出機能を備えるものも登場している。
【０００３】
このような遊技者参加型演出機能の一類型として、遊技者による中心軸線方向への押圧移動操作（プッシュ操作）が可能な、いわゆるプッシュ式の操作スイッチを備える場合がある。例えば、液晶表示部や操作スイッチの表示画面でのナビゲーション表示（告知表示）に従って遊技者が操作スイッチを押圧操作することにより、液晶表示部に一覧表示された複数の演出表示パターン（モード）の中から特定のパターンを選択したり決定したりすることができる（非特許文献１，２参照）。
【０００４】
一方、例えばＬＥＤ等の発光手段（光源）を搭載した基板等を回転させることによって、従来のような液晶表示部での演出表示以外に、光学的な演出表示を遊技盤上で行う回転演出装置も提案されている（特許文献１〜３参照）。具体的には、特許文献１ではＬＥＤが外側方に向けて実装された発光基板を回転させることにより、光演出表示を行っている。また、特許文献２ではＬＥＤが搭載された可動板を回転させ、特許文献３では非回転のＬＥＤ群からの光を側端面に導くための導光部が形成された表示板を回転させることにより、それぞれ残像効果を利用した光演出表示を行っている。
【先行技術文献】
【非特許文献】
【０００５】
【非特許文献１】特許庁監修「平成１８年度標準技術集  遊技機及びその関連技術」“第１部パチンコ  ４−３−５−１  入力装置”（２００７年３月１４日特許庁ホームページにて公表）
【非特許文献２】特許庁監修「平成１８年度標準技術集  遊技機及びその関連技術」“第２部パチスロ  ２−３−４−３  プレイヤー参加型”（同上）
【特許文献】
【０００６】
【特許文献１】特開２００７−３１２９１２号公報
【特許文献２】特開２００４−２８３５０５号公報
【特許文献３】特開２００８−２２８９４６号公報
【０００７】
ところで、近年ますます大型化する液晶表示部での鮮明な画像表示に伍して変化に富んだ演出表示を提供し、遊技者の興趣を高め遊技が単調になるのを防ぐためには、特許文献１〜３に開示されるような回転演出装置は、遊技盤に搭載する際に存在が目立つように全体が大きく構成されている。したがって、これらの回転演出装置を上記したプッシュ式の操作スイッチに組み込んで、遊技者参加型の演出機能を高めようとしても、操作スイッチそのものが巨大化して製造コストが高騰し、押圧操作が重くなって操作性が低下するおそれがある。
【発明の概要】
【発明が解決しようとする課題】
【０００８】
本発明の課題は、種々の回転手段をプッシュ式の操作スイッチにコンパクトに組み込むことによって、遊技者の五感を直接刺激して遊技者参加型の演出機能を一層高めることのできる遊技機用操作スイッチとそれを備えた遊技機を提供することにある。具体的には、光の発生源となる回転手段をプッシュ式の操作スイッチにコンパクトに組み込むことによって、遊技者の視覚を直接刺激して遊技者参加型の演出機能を一層高めることのできる遊技機用操作スイッチとそれを備えた遊技機を提供することにある。また、風の発生源となる回転手段をプッシュ式の操作スイッチにコンパクトに組み込むことによって、遊技者の触角を直接刺激して遊技者参加型の演出機能を一層高めることのできる遊技機用操作スイッチとそれを備えた遊技機を提供することにある。
【課題を解決するための手段及び発明の効果】
【０００９】
上記の課題を解決するために、本発明の遊技機用操作スイッチは、
遊技機に固定配置された固定ケースと、押圧操作に基づき前記固定ケース内にて押圧方向に移動可能な移動ケースと、それら両ケース間に介装されて前記移動ケースを前記押圧方向とは逆方向へ付勢する弾発部材とを備え、人為的な押圧移動操作が可能とされたプッシュ式の遊技機用操作スイッチであって、
前記移動ケースの内部に収容されるとともに、前記押圧方向に沿って配置される回転軸線周りで回転運動する際に、自身が遊技者の五感のうちの少なくともいずれか１つを刺激する人体刺激物質（あるいは人体刺激手段）の発生源となってその人体刺激物質を（例えば前記回転軸線方向に沿って）前記移動ケースの外部へ放出可能な回転手段と、
前記回転手段を前記回転軸線周りで回転させるための駆動源とを備えることを特徴とする。
【００１０】
このように、人体刺激物質の発生源となる回転手段をプッシュ式の操作スイッチにコンパクトに組み込むことによって、遊技者の五感（すなわち、視覚、聴覚、触覚、嗅覚、味覚）を直接刺激して遊技者参加型の演出機能を一層高めることができる。なお、遊技者の五感を刺激する人体刺激物質として、例えば光，風，音，マイナスイオン，アロマオイル等を例示することができる。
【００１１】
また、上記の課題を解決するために、本発明の遊技機用操作スイッチは、
遊技機に固定配置された固定ケースと、押圧操作に基づき前記固定ケース内にて押圧方向に移動可能な移動ケースと、それら両ケース間に介装されて前記移動ケースを前記押圧方向とは逆方向へ付勢する弾発部材とを備え、人為的な押圧移動操作が可能とされたプッシュ式の遊技機用操作スイッチであって、
前記移動ケースの内部に収容されるとともに、前記押圧方向に沿って配置される回転軸線周りで回転運動する際に、自身が光の発生源となってその光を（例えば前記回転軸線方向に沿って）前記移動ケースの外部へ放出可能な回転手段と、
前記固定ケースに固定保持され、前記移動ケースの移動を検知するための移動検出手段を実装する第一配線基板と、
前記移動ケースに内蔵され、前記回転手段が放出する光を発するための光源を実装する第二配線基板とを備え、
前記第一配線基板は前記弾発部材から見て前記押圧方向の上手側に位置し、前記第二配線基板は同じく下手側に位置するように、前記回転軸線方向に沿って振り分け状に配置されていることを特徴とする。
【００１２】
このように、光の発生源となる回転手段をプッシュ式の操作スイッチにコンパクトに組み込むことによって、遊技者の視覚を直接刺激して遊技者参加型の演出機能を一層高めることができる。ここでは、弾発部材（例えば圧縮コイルばね）を挟んで、第一配線基板（例えば中継基板）を押圧方向の上手側に位置させる一方、第二配線基板（例えば発光基板）を同じく下手側に位置させて、回転軸線方向に沿って振り分け状に配置しているので、操作スイッチを小型・コンパクトに構成することが容易である。ただし、「押圧方向の上手側」とは「押圧方向の奥（先端）に位置する側（例えば下方）」を意味し、「押圧方向の下手側」とは「押圧方向の手前（基端）に位置する側（例えば上方）」を意味している。なお、この場合、第二配線基板を移動ケースに固定保持し、特許文献３を参照して、回転手段に光源と対応する導光部を形成することも可能である。
【００１３】
なお、移動検出手段として、次のような変位センサを用いることができる。
（１）非接触センサ：フォトセンサ，レーザセンサ，近接スイッチ，リニアエンコーダ等；
（２）接触センサ：ポテンショメータ，マイクロスイッチ等。
【００１４】
具体的には、回転手段と第二配線基板とを回転軸線周りで同期回転させるための単一の駆動源を備え、
回転手段は、駆動源からの駆動力により回転軸線周りで回転運動する際、自身の連続回転と第二配線基板に実装された光源の点滅とに基づく残像効果によって、演出表示のための数字・文字・図形・記号・模様等からなる図柄の残像表示が可能である。
【００１５】
このように、回転手段と第二配線基板とを同期回転させるとともに、光源（例えばＬＥＤ）の点滅制御と組み合わせることによって、任意の文字（例えば『ＮＰＰ』）等からなる図柄を、時間残像効果を利用して光源の旋回領域内の空間に浮き上がらせて表示し、遊技者の興趣を一層高めることができる。すなわち、人体の目の時間分解能はおよそ５０ｍｓ〜１００ｍｓとされているので、点滅周期がこの時間よりも長ければ点滅しているように知覚され、短ければ連続点灯しているように知覚される。したがって、「光源の回転周期＝光源の点滅周期＜５０ｍｓ」となるように、駆動源（例えば電動モータ）の回転数と光源の点滅周期とを調整することによって、時間残像効果により光源が周方向の同一位置にて光るように視認され、図柄としての残像表示も可能となる。なお、駆動源（例えば電動モータ）の回転数と光源の点滅タイミングとを調整することによって、残像表示位置（図柄のキャンバスに見立てられる）を変更することができる。
【００１６】
その光源を、回転軸線から半径方向外側へ向かって、所定間隔にて複数配置することが望ましい。
【００１７】
このように、時間残像効果を生み出す複数の光源を同時発光させることによって、文字等の図柄を２次元的に残像表示することが可能となり、演出機能を飛躍的に高めることができる。なお、この場合、複数の光源を回転軸線から半径方向一列状に等間隔で配置するだけでも十分インパクトのある演出表示が行える。
【００１８】
さらに、回転手段は、自身が風の発生源となってその風を（例えば回転軸線方向に沿って）移動ケースの外部へ放出可能な１又は複数の回転羽根を有し、回転軸線周りで回転運動する際、図柄の残像表示と回転羽根の回転に基づく送風とが同時に可能としてもよい。
【００１９】
このように、図柄の残像表示に加えて回転羽根の回転に基づく送風を同時に行うことによって、五感のうちの２つ（視覚及び触覚）を同時刺激して遊技者の興趣を一段と高めることができる。
【００２０】
具体的には、第二配線基板の光源は、回転手段の回転羽根に対して押圧方向の上手側であって、軸線方向から見て回転羽根の外形線で囲まれた領域内に配置され、回転羽根を透光性材料にて構成する場合がある。
【００２１】
これによって、回転羽根の後方側に位置する光源からの光は、回転羽根を透過して手前側に浮かんだ状態で残像表示されるので、インパクトのある演出表示ができる。また、押圧方向の上手側が下方であれば、回転羽根の下方に重なり状態で配置される第二配線基板や光源を他物との接触や塵埃の堆積等から防護できる。
【００２２】
その際、回転手段の回転羽根と第二配線基板の光源とを回転軸線方向に所定距離離間して配置し、駆動源により各々直結駆動することができる。
【００２３】
このように、回転手段の回転羽根と第二配線基板の光源とを離間して配置することによって、回転羽根と光源との組み合わせの自由度が増大し、残像表示態様の多様化を図ることができる。
【００２４】
あるいは、第二配線基板及び光源を回転手段の回転羽根と一体化し、第二配線基板が一体化された回転羽根を駆動源により直結駆動することもできる。
【００２５】
このように、第二配線基板及び光源を回転手段の回転羽根と一体化することによって、操作スイッチを一層小型化することができる。
【００２６】
一方、第二配線基板の光源は、回転手段の回転羽根に対して押圧方向の上手側であって、回転軸線方向から見て回転羽根の外形線で囲まれた領域外に配置される場合がある。
【００２７】
これによって、回転羽根の後方側に位置する光源（及び第二配線基板）の配置の自由度が増大し、残像表示態様の多様化を図ることができる。
【００２８】
さらに、上記の課題を解決するために、本発明の遊技機用操作スイッチは、
遊技機に固定配置された固定ケースと、押圧操作に基づき前記固定ケース内にて押圧方向に移動可能な移動ケースと、それら両ケース間に介装されて前記移動ケースを前記押圧方向とは逆方向へ付勢する弾発部材とを備え、人為的な押圧移動操作が可能とされたプッシュ式の遊技機用操作スイッチであって、
前記移動ケースの内部に収容されるとともに、前記押圧方向に沿って配置される回転軸線周りで回転運動する際に、自身が風の発生源となってその風を（例えば前記回転軸線方向に沿って）前記移動ケースの外部へ放出可能な１又は複数の回転羽根を有する回転手段と、
前記固定ケースに固定保持され、前記移動ケースの移動を検知するための移動検出手段を実装する第一配線基板と、
前記移動ケースに固定保持され、（例えば前記回転軸線方向に沿って）前記移動ケースの外部へ放出する光を発するための光源を実装する第二配線基板とを備え、
前記第一配線基板は前記弾発部材から見て前記押圧方向の上手側に位置し、前記第二配線基板は同じく下手側に位置するように、前記回転軸線方向に沿って振り分け状に配置されていることを特徴とする。
【００２９】
このように、風の発生源となる回転羽根を有する回転手段をプッシュ式の操作スイッチにコンパクトに組み込むことによって、遊技者の触覚を直接刺激して遊技者参加型の演出機能を一層高めることができる。ここでは、弾発部材（例えば圧縮コイルばね）を挟んで、第一配線基板（例えば中継基板）を押圧方向の上手側（例えば下方）に位置させる一方、第二配線基板（例えば発光基板）を同じく下手側（例えば上方）に位置させて、回転軸線方向に沿って振り分け状に配置しているので、操作スイッチを小型・コンパクトに構成することが容易である。
【００３０】
具体的には、回転手段を回転軸線周りで回転させるための駆動源を備え、
回転手段は、駆動源からの駆動力により回転軸線周りで回転運動する際、回転羽根の回転に基づく送風と第二配線基板に実装された光源から発する光に基づく照明とが同時に可能としてもよい。
【００３１】
このように、回転羽根の回転に基づく送風に加えて光源の発光表示を同時に行うことによって、五感のうちの２つ（触覚及び視覚）を同時刺激して遊技者の興趣を一段と高めることができる。
【００３２】
これらの操作スイッチにおいて、移動ケースには、回転手段及び第二配線基板を内蔵した状態にてその移動ケースを押圧方向の下手側から覆うことにより、移動ケースとの一体的な移動を可能としたカバー体が設けられ、
カバー体の全体を透光性材料にて構成することができる。
【００３３】
このようなカバー体は押圧操作するための操作部を構成するので、遊技者による人為的操作が行いやすくなる。また、移動ケースの内部に収容される回転手段及び第二配線基板（光源）をカバー体によって保護できる。さらに、カバー体を介して光源の発光表示形態の観察も容易に行える。なお、カバー体に送風用の開口を設けることによって、遊技者は回転羽根の回転に基づく送風を直接体感することができる。
【００３４】
さらに、固定ケース又はそれに一体固定された部材［蓋体］には、移動ケースの回転軸線方向への移動に伴って、第一配線基板と第二配線基板とを接続する配線に発生する撓みを収容するための配線収容部が形成される場合がある。
【００３５】
このように、移動ケースの回転軸線方向への移動により生じる配線の撓み（伸縮）を固定ケースの内部に形成される配線収容部にて吸収できるので、固定ケースの外側を迂回して架け渡さなくても両配線基板間を配線接続することができる。したがって、上記カバー体を叩き続けるような過酷な使用態様においても、配線同士が絡み合ったり他物に引っ掛かったりすることによる損傷を受けにくくなる。なお、固定ケースに一体固定された部材として、固定ケースを塞ぐための蓋体等を例示することができる。
【００３６】
そこで、上記課題を解決するために、本発明の遊技機は、
以上のような遊技機用操作スイッチが、前記回転手段の前記回転軸線周りでの回転可能、かつ人為的な押圧操作により前記移動ケースの前記回転軸線方向への移動可能な形態にて、装着されることを特徴とする。
【００３７】
このように、光、風等の人体刺激物質の発生源となる回転手段をプッシュ式の操作スイッチにコンパクトに組み込むことによって、遊技者の五感（すなわち、視覚、聴覚、触覚、嗅覚、味覚）を直接刺激して、遊技機における遊技者参加型の演出機能を一層高めることができる。
【００３８】
なお、本発明の遊技機には、（１）パチンコ機等の弾球遊技機、（２）スロットマシンやパチスロ機等の回胴式遊技機、（３）ポーカーゲーム機、雀球遊技機等の各種ゲーム機、等が含まれる。
【図面の簡単な説明】
【００３９】
【図１】本発明に係る操作スイッチを備えたパチンコ機を例示する斜視図。
【図２】本発明に係る操作スイッチの一例を示す全体斜視図。
【図３】図２の操作スイッチの平面図及び正面図。
【図４】図２の操作スイッチの上部ユニットを分解して示す斜視図。
【図５】図２の操作スイッチのうち下部ユニットを分解して示す斜視図。
【図６】図４のうち回転羽根の駆動系を取り出して組み立てた状態を示す平面図、正面図及び斜視図。
【図７】図３（ａ）に示す操作スイッチのＡ−Ａ断面図。
【図８】図３（ａ）に示す操作スイッチのＢ−Ｂ断面図。
【図９】図３（ａ）に示す操作スイッチのＣ−Ｃ断面図。
【図１０】プッシュノブの押圧操作を説明する断面図。
【図１１】残像表示の一例を説明する平面図。
【図１２】発光基板の変形例を示す断面図。
【図１３】発光基板の他の変形例を示す平面図。
【図１４】本発明に係る操作スイッチの他の例を示す断面図。
【図１５】本発明に係る操作スイッチのさらに他の例を示す断面図。
【発明を実施するための形態】
【００４０】
（実施例１）
以下、本発明の実施の形態を図面を参照しつつ説明する。図１は本発明に係る遊技機用操作スイッチ（以下、単に操作スイッチともいう）を備えたパチンコ機を例示する斜視図である。図１に示すように、パチンコ機１（遊技機）には遊技盤２が設けられ、前面側（遊技者に対面する側）の盤面に遊技領域２ａが形成されている。遊技盤２（遊技領域２ａ）のほぼ中央には液晶表示部３が搭載され、その周辺には大入賞口（アタッカー）、電動チューリップ（電チュー）にて構成される始動口をはじめとする役物や、障害釘、風車等（いずれも図示せず）が配置されている。
【００４１】
遊技盤２は内枠４に固定され、内枠４は正面視左側にてヒンジ４ａにより外枠５に対して回動開閉可能に支持されている。また、遊技盤２は手前側（遊技者側）に位置するガラス板（図示せず）で覆われ、ガラス板は前面枠６（ガラス枠）に固定され、前面枠６はヒンジ（図示せず）により内枠４に対して回動開閉可能に支持されている。なお、内枠４は前面枠６の背面側に、外枠５は内枠４の背面側に、それぞれ全体がほぼ重なり合った状態で配置されている。さらに、内枠４の下部には、発射用の遊技球を貯留しておくための球受皿７が前方側に膨出する形で左右方向に延設され、内枠４の右側下端部には、球受皿７から供給された遊技球を遊技領域２ａに発射するための発射ハンドル８が前方側に突出形成されている。
【００４２】
上記液晶表示部３では、パチンコ機１が遊技状態（発射ハンドル８により遊技球が遊技領域２ａに発射されている状態）であるか、待機状態（遊技球が発射されていない状態）であるかにかかわらず、種々の演出表示が可能である。そして、球受皿７の中央前端部には、液晶表示部３の表示画面におけるナビゲーション表示（告知表示）に従って、あるいはそれとは無関係に、遊技者が操作することのできる操作スイッチ１００が設置されている。操作スイッチ１００は、遊技者による上下方向の軸線Ｏ（回転軸線）方向への押圧移動操作（プッシュ操作）が可能な、いわゆるプッシュ式に構成されている。
【００４３】
なお、本明細書において、上下方向とは遊技盤２の盤面に沿う形で遊技球が流下する方向（例えば、鉛直方向）を意味する。また、左右方向とは遊技盤２の盤面に沿う形で上下方向と交差する方向（例えば、水平方向）を意味し、遊技者側からみて左側、右側をいう。さらに、前後方向とは遊技盤２と交差（例えば、直交）する方向を意味し、遊技者に対面する側（手前側）が前面側（前方側）であり、その反対側（奥側）が後面側（後方側）となる。
【００４４】
図２は本発明に係る操作スイッチの一例を示す全体斜視図、図３は平面図及び正面図、図４は上部ユニットの分解斜視図、図５は下部ユニットの分解斜視図である。また、図６は回転羽根の駆動系を説明する平面図、正面図及び斜視図、図７は図３の平面図におけるＡ−Ａ断面図、図８は同じくＢ−Ｂ断面図、図９は同じくＣ−Ｃ断面図を表す。図２及び図３に示すように、この操作スイッチ１００は、全体が回転軸線Ｏ方向（上下方向）へ移動可能な上部ユニット１０と、上部ユニット１０に対して上方への弾発力（付勢力）を作用させるための圧縮コイルばね２０（弾発部材）と、上部ユニット１０及び圧縮コイルばね２０を内部に収容し球受皿７（図１参照）に固定配置される下部ユニット３０と、を備えている。
【００４５】
図４に示すように、上部ユニット１０は、主要構成部品として、回転軸線Ｏ方向への移動可能な、移動ケース１１とカバー体１２（操作部）と保持体１３とを有している。また、移動ケース１１には、回転手段４０と、その回転手段４０を駆動回転するための駆動部５０とが設けられている。
【００４６】
回転手段４０は、移動ケース１１及びカバー体１２の内部に収容され、押圧方向に沿って配置される回転軸線Ｏ（回転軸４１ａ）周りで回転運動する際に、遊技者の五感を刺激する人体刺激物質（あるいは人体刺激手段）の１つである風の発生源となってその風を回転軸線Ｏ方向に沿って移動ケース１１の外部へ放出可能な複数（例えば３枚）の回転羽根４１と、同じく光の発生源となってその光を回転軸線Ｏ方向に沿って移動ケース１１の外部へ放出可能な発光素子４２ａ（光源）とを含む。発光素子４２ａは、鍵型のように回転軸線Ｏから半径方向外側へ向かって延びる発光基板４２（第二配線基板）に実装され、半径方向１列状に等間隔で複数（例えば７個）配置されている。駆動部５０は、回転手段４０を構成する回転羽根４１と発光基板４２とを同期回転するための電動モータ５１（駆動源）と、電動モータ５１の駆動力を回転手段４０に伝達するためのスリップリング５２とを含む。
【００４７】
カバー体１２は、移動ケース１１に回転手段４０等を内蔵した状態にて、移動ケース１１を押圧方向（回転軸線Ｏ方向）の上方（下手側）から覆うことにより、移動ケース１１を押圧操作するための操作部を構成し、移動ケース１１と一体的に移動する。具体的には、移動ケース１１の上部固定溝１１ａ（第二固定凹部）にカバー体１２の上部固定爪１２ａ（第二固定凸部）を嵌合させることにより、カバー体１２は移動ケース１１の上側に固定される。また、カバー体１２は全体が透光性高分子（例えばポリカーボネート（ＰＣ）樹脂等の合成樹脂）材料にて構成され、上壁部には多数の送風口１２ｂが開口しているので、発光素子４２ａの発光状況の視認性がよくなり、回転羽根４１からの送風を直接体感することができる。なお、保持体１３は、複数（例えば４本）のビス１３ｂ（締結部材）により移動ケース１１に固定され、移動ケース１１と一体的に移動する。
【００４８】
一方、図５に示すように、下部ユニット３０は、主要構成部品として、回転軸線Ｏ方向（押圧方向）への移動不能な、固定ケース３１と蓋体３２と中継基板３３（第一配線基板）とを有している。なお、図８に示すように、圧縮コイルばね２０は、保持体１３と固定ケース３１の底壁との間に介装され、回転軸線Ｏに沿って下方へ押下げられた上部ユニット１０を上方へ押し戻すための戻しばねとして機能する。また、図４及び図５に示すように、圧縮コイルばね２０から見て中継基板３３は押圧方向の下方（上手側）に位置し、発光基板４２は上方（下手側）に位置するように、回転軸線Ｏ方向に沿って振り分け状に配置されている。
【００４９】
図４に示すように、電動モータ５１のモータ保持板５１ｂは、ビス５１ｃ（締結部材）によりスリップリング５２の固定保持部５２ｂに固定され、スリップリング５２の固定保持部５２ｂは、複数（例えば２本）のビス５２ｃ（締結部材）により移動ケース１１に固定されている。発光基板４２は、複数（例えば２本）のビス４２ｂ（締結部材）により回転羽根４１に固定され、回転羽根４１と同期回転する。図７〜図９に示すように、電動モータ５１のモータ軸５１ａはスリップリング５２の摺動回転部５２ａを介して回転羽根４１の回転軸４１ａに固定されている。
【００５０】
図６に示すように、発光素子４２ａ（及び鍵形状の発光基板４２）は、回転羽根４１に対して押圧方向の下方であって、回転軸線Ｏ方向から見て回転羽根４１の外形線で囲まれた領域内に配置されている。回転羽根４１と発光基板４２（発光素子４２ａ）とは回転軸線Ｏ方向に所定距離離間してモータ軸５１ａに直結され、電動モータ５１により駆動される。なお、回転羽根４１は透光性高分子（例えばポリカーボネート（ＰＣ）樹脂等の合成樹脂）材料にて構成されている。
【００５１】
図５及び図９に示すように、下部ユニット３０の固定ケース３１は上向きに開口する有底円筒状に形成され、上記した圧縮コイルばね２０と上部ユニット１０とを内部に収容している。固定ケース３１の底壁からさらに下方へ延長された周壁の下端部には、複数（例えば２個）の下部固定爪３１ａ（第一固定凸部）が半径方向外側へ突出形成されている。一方、蓋体３２の周縁部には、複数（例えば２個）の下部固定溝３２ａ（第一固定凹部）が起立形成されている。固定ケース３１の下部固定爪３１ａに蓋体３２の下部固定溝３２ａを嵌合させることにより、蓋体３２は固定ケース３１の下側に固定される。このとき、擬似矩形状の中継基板３３は、圧縮コイルばね２０の下方（上部ユニット１０とは反対側）において、固定ケース３１の底壁と蓋体３２との間に水平状に挟み込み固定される。
【００５２】
図５及び図９に示すように、中継基板３３の上面であって、回転軸線Ｏを含む形で貫通形成された配線挿通孔３３ｂの近傍に、上部ユニット１０の押圧移動を検知するためのフォトセンサ３３ａ（移動検出手段）が実装（立設固定）されている。回転軸線Ｏの近傍における保持体１３の下面には、フォトセンサ３３ａで移動検知される移動突起１３ａ（移動被検知部）が中継基板３３に向って（回転軸線Ｏ方向に）突出形成（一体成形）されている。フォトセンサ３３ａが移動突起１３ａを光学的に検知することによって、上部ユニット１０の押圧移動を検出できる（図１０参照）。なお、保持体１３の移動突起１３ａは、固定ケース３１の底壁に貫通形成された移動孔３１ｃを挿通している。
【００５３】
蓋体３２には、上部ユニット１０（移動ケース１１）の回転軸線Ｏ方向への移動に伴って、発光基板４２と中継基板３３とを電気的に接続する配線Ｗに発生する撓みを収容するために、下方（外側）へ半球状に膨出する膨出部３２ｂ（配線収容部）が形成されている（図１０参照）。なお、中継基板３３には、その配線Ｗを挿通させるための配線挿通孔３３ｂが貫通形成されている。上記配線Ｗは、配線挿通孔３３ｂを経由することにより、膨出部３２ｂの内面に沿って滑らかに湾曲でき、基板４２，３３間での配線Ｗの折れ曲がりを防止できる。また、発光基板４２の回転に伴う配線Ｗのねじれは、スリップリング５２の摺動回転部５２ａによって吸収される。
【００５４】
図５及び図７に示すように、移動ケース１１の底壁下面から複数（例えば２個）のスライド爪１１ｂ（案内凸部）が半径方向外側へ突出形成されている。一方、固定ケース３１の底壁からさらに下方へ延長された周壁の内周面には、複数（例えば２本）のスライド溝３１ｂ（案内凹部）が上下方向（回転軸線Ｏ方向）に形成されている。移動ケース１１のスライド爪１１ｂと固定ケース３１のスライド溝３１ｂとを係合させることにより、カバー体１２を押圧したとき、スライド爪１１ｂはスライド溝３１ｂに沿って上下移動する。
【００５５】
以上のように構成された操作スイッチ１００の作動（操作）について、主として図９〜図１１により説明する。
【００５６】
＜回転軸線Ｏ方向への移動操作＞（図９，図１０）
遊技者がカバー体１２を回転軸線Ｏ方向へ押圧操作すると、上部ユニット１０（すなわち、移動ケース１１，カバー体１２，保持体１３，回転羽根４１，発光基板４２，電動モータ５１，スリップリング５２）は、圧縮コイルばね２０をその弾発力に抗して圧縮しながら、全体が一体的に回転軸線Ｏ方向へ移動する。フォトセンサ３３ａが移動突起１３ａを検知することによって、上部ユニット１０の下方移動が検出される。遊技者がカバー体１２の押圧操作を中断すると、圧縮コイルばね２０の弾発力によって上部ユニット１０はもとの上昇位置に復帰し、フォトセンサ３３ａは移動突起１３ａを検知しなくなる。
【００５７】
＜回転軸線Ｏ方向への移動操作＞（図１０，図１１）
フォトセンサ３３ａによる移動突起１３ａの検知により、電動モータ５１が駆動回転し、回転羽根４１と発光基板４２とは同期回転する。これによって、回転羽根４１の回転に基づく送風がカバー体１２の送風口１２ｂから吹き出す。それと同時に、回転羽根４１の連続回転と発光素子４２ａの点滅とに基づく残像効果によって、演出表示のための図柄Ｃ（例えば『ＮＰＰ』の文字）が残像表示される。
【００５８】
具体的には、「発光基板４２（発光素子４２ａ）の回転周期＝発光素子４２ａの点滅周期＜５０ｍｓ」となるように、電動モータ５１の回転数と各発光素子４２ａの点滅周期とを調整することによって、時間残像効果により発光素子４２ａが周方向の同一位置にて光るように視認され、図柄Ｃ『ＮＰＰ』としての残像表示が可能となる。なお、電動モータ５１の回転数と発光素子４２ａの点滅タイミングとを調整することによって、残像表示位置（図柄のキャンバスに見立てられる）を図１１から変更することができる。
【００５９】
このように、回転羽根４１と発光基板４２とを同期回転させるとともに、発光素子４２ａの点滅制御と組み合わせることによって、任意の文字等からなる図柄Ｃを、時間残像効果を利用して発光素子４２ａの旋回領域内の空間に浮き上がらせて表示し、遊技者の興趣を一層高めることができる。また、図柄Ｃの残像表示に加えて回転羽根４１の回転に基づく送風を同時に行うことによって、五感のうちの２つ（視覚及び触覚）を同時刺激して遊技者の興趣が一段と高められる。なお、移動ケース１１内に芳香剤等を備えることにより、五感の嗅覚も同時に刺激することができ、回転羽根４１の回転により芳香を広範囲に広めることができる。また、上部ユニット１０の押圧時に芳香液を噴霧するようにしてもよい。
【００６０】
（変形例１）
図１２は発光基板の変形例を示す断面図である。図１２に示す遊技機用操作スイッチ１００’の回転手段４０’において、発光基板４２’（第二配線基板）及び発光素子４２ａ’（光源）は、例えば回転羽根４１の下面に形成された凹部に発光素子４２ａ’（光源）を対応させる形で、接着剤にて貼り合わせることにより、回転羽根４１と一体化されている。したがって、回転羽根４１は発光基板４２’及び発光素子４２ａ’と一体化された状態で、電動モータ５１（駆動源）により駆動される。
【００６１】
このように、発光基板４２’及び発光素子４２ａ’を回転羽根４１と一体化することによって、操作スイッチ１００’を一層小型化できる。なお、回転羽根４１に発光素子４２ａ’（光源）に対応させて透孔を形成するようにしてもよく、光が鮮明となり遊技者の遊技参加意欲を一層高めることができる。
【００６２】
（変形例２）
図１３は発光基板の他の変形例を示す平面図である。図１３に示すの回転手段４０”において、発光基板４２”（第二配線基板）は、回転羽根４１の旋回半径とほぼ同じ半径を有する円盤状に形成され、回転羽根４１に対して押圧方向の下方（上手側）に所定距離離間して配置されている。発光基板４２”に実装される発光素子４２ａ”（光源）は、半径方向１列状に等間隔で複数（例えば７個）並ぶ形態で、軸線方向Ｏから見て回転羽根４１の外形線で囲まれた領域外に配置されている。
【００６３】
このように、回転羽根４１の後方側において回転羽根４１の外形線で囲まれた領域外に発光素子４２ａ”を配置する場合、発光素子４２ａ”の配置の自由度が増大し、残像表示態様の多様化を図れる。また、半径方向１列状に等間隔で複数（例えば７個）並ぶ発光素子４２ａ”（光源）を１グループとしてそのグループを複数個所（すなわち、回転軸線Ｏを中心として放射状）に設けてもよく、グループ毎に発光素子４２ａ”（光源）の色を異ならせることで複数の残像を表示でき、遊技者の興趣を向上させることができる。
【００６４】
（実施例２）
次に、図１４は本発明に係る遊技機用操作スイッチ（以下、単に操作スイッチともいう）の他の例を示す断面図である。図１４に示す操作スイッチ２００の回転手段１４０には回転羽根がなく、発光基板１４２（第二配線基板）及び発光素子１４２ａ（光源）のみが回転軸線Ｏ周りで回転する。
【００６５】
この場合にも、光の発生源となる発光基板１４２（発光素子１４２ａ）をプッシュ式の操作スイッチ２００にコンパクトに組み込み、発光基板１４２（発光素子１４２ａ）が回転することによって遊技者の視覚を直接刺激し、遊技者参加型の演出機能が高められる。
【００６６】
（実施例３）
次に、図１５は本発明に係る遊技機用操作スイッチ（以下、単に操作スイッチともいう）のさらに他の例を示す断面図である。図１５に示す操作スイッチ３００の回転手段２４０は回転羽根２４１のみで構成され、発光素子２４２ａ（光源）は、回転羽根２４１の回転軸線Ｏ方向下方において、移動ケース１１の上面に固定された発光基板２４２（第二配線基板）に実装されている。発光基板２４２が移動ケース１１に固定されているので、スリップリングは不要となり、電動モータ５１（駆動源）は回転羽根２４１のみを回転軸線Ｏ周りで回転駆動する。
【００６７】
これによって、回転羽根２４１は、電動モータ５１からの駆動力により回転軸線Ｏ周りで回転運動する際、回転羽根２４１の回転に基づき風を発生する。また、それと同時に、発光素子２４２ａから発する光が、透光性の回転羽根２４１を透過して視認される。なお、回転羽根２４１が非透光性であると、発光素子２４２ａからの光は、回転する回転羽根２４１の間から木漏れ日のように視認される。いずれにしても、回転羽根２４１の回転に基づく送風効果に加えて、発光素子２４２ａの発光表示による回転羽根２４１の照明効果が同時に達成され、五感のうちの２つ（触覚及び視覚）を同時刺激して遊技者の興趣を一段と高めることができる。この実施例に示す操作スイッチ３００（カバー体１２）は、実施例１，２と同様に、回転羽根２４１（及び非回転の発光素子２４２ａ）のＯＮ・ＯＦＦ操作用として用いることができるが、異なる用途も考えられる。例えば、遊技状態において、液晶表示部３に「押せ！」等の指示画面を表示し、画面表示に従ってカバー体１２を押圧操作（連打）させることにより、演出表示パターンやキャラクターの選択・決定操作用として用いてもよい。
【００６８】
なお、変形例１，２及び実施例２，３（図１２〜図１５）において実施例１（図２〜図１１）と共通の機能を有する部分には同一符号を付して説明を省略した。
【００６９】
以上の実施例では操作スイッチ１００，２００，３００をパチンコ機１の球受皿７に取り付けた場合のみについて説明したが、その他の部位に取り付けてもよい。その際、回転軸線Ｏ方向は上下方向以外に設定してもよい。また、パチンコ機に取り付けた場合のみについて説明したが、アレパチ機等の他の弾球遊技機やスロットマシン、パチスロ機等の回胴式遊技機に取り付けてもよい。
【符号の説明】
【００７０】
１        パチンコ機（遊技機）
２        遊技盤
２ａ      遊技領域
３        液晶表示部
４        内枠
４ａ      ヒンジ
５        外枠
６        前面枠（ガラス枠）
７        球受皿
８        発射ハンドル
１０      上部ユニット
１１      移動ケース
１１ａ    上部固定溝（第二固定凹部）
１１ｂ    スライド爪（案内凸部）
１２      カバー体（操作部）
１２ａ    上部固定爪（第二固定凸部）
１２ｂ    送風口
１３      保持体
１３ａ    移動突起（移動被検知部）
２０      圧縮コイルばね（戻しばね；弾発部材）
３０      下部ユニット
３１      固定ケース
３１ａ    下部固定爪（第一固定凸部）
３１ｂ    スライド溝（案内凹部）
３１ｃ    移動孔
３２      蓋体
３２ａ    下部固定溝（第一固定凹部）
３２ｂ    膨出部（配線収容部）
３３      中継基板（第一配線基板）
３３ａ    フォトセンサ（移動検出手段）
３３ｂ    配線挿通孔
４０      回転手段
４１      回転羽根
４１ａ    回転軸
４２      発光基板（第二配線基板）
４２ａ    発光素子（光源）
５０      駆動部
５１      電動モータ（駆動源）
５１ａ    モータ軸
５１ｂ    モータ固定板
５２      スリップリング
５２ａ    摺動回転部
５２ｂ    固定保持部
１００    操作スイッチ（遊技機用操作スイッチ）
Ｃ        図柄
Ｏ        回転軸線
Ｗ        配線
【図１】
2011024778.tif 000003
【図２】
2011024778.tif 000004
【図３】
2011024778.tif 000005
【図４】
2011024778.tif 000006
【図５】
2011024778.tif 000007
【図６】
2011024778.tif 000008
【図７】
2011024778.tif 000009
【図８】
2011024778.tif 000010
【図９】
2011024778.tif 000011
【図１０】
2011024778.tif 000012
【図１１】
2011024778.tif 000013
【図１２】
2011024778.tif 000014
【図１３】
2011024778.tif 000015
【図１４】
2011024778.tif 000016
【図１５】
2011024778.tif 000017